(57)【特許請求の範囲】
【請求項１】
室内ユニットの開閉可能な前面パネルの係止部品、この係止部品のアームが広がる方向に隙間を有するように取り付けられるとともに、一方に一対のアームを、他方にはそれぞれ三角型の厚肉部を設け変位の支点とし、それらの中間部の肉厚を薄肉厚で係止部品を形成したことを特徴とする空気調和機のパネル開閉装置。
【請求項２】
開閉可能な前面パネルの係合用爪により、係止部品のアームが広がる方向に対し、垂直方向に係止部品を配置したことを特徴とする請求項１記載の空気調和機のパネル開閉装置。
【請求項３】
係止部品のアームが広がる方向にスライド可能なレールもしくはその垂直方向に矯正リブを配置し、アームが広がる方向に対し垂直方向への隙間を矯正したことを特徴とする請求項１記載の空気調和機のパネル開閉装置。
【発明の詳細な説明】
【０００１】
【発明の属する技術分野】
この発明は、空気調和機に係り、特に、本体前面の開閉可能な前面パネルの保持装置に関するものである。
【０００２】
【従来の技術】
図１０は例えば特開平４−５０３２５号公報に示された従来の空気調和機の室内ユニットを示す斜視図。図１１は従来の空気調和機のパネル開閉装置を一部切欠いて示す側面図、図１２は従来の空気調和機のパネル開閉装置要部関係を拡大して示す断面図である。図において、１は空気調和機の室内ユニット本体、２はこの室内ユニットの前面ケース、３はこの前面ケースの前面を覆う開閉可能な前面パネル、４は前記室内ユニットの後面ケースで、これら後面ケース４と前面ケース２と開閉可能な前面パネル３とによって、前記室内ユニット本体１を構成している。７は前記前面パネル３の開閉中心となる軸、８は前記前面パネル３の閉時に下部を係止する係合部、９は前記前面パネル３の係合部８に設けた係合用爪、１０は係止部品で、アーム１０ａを一体に設けている。
【０００３】
次に動作について説明する。前面パネル３は前面ケース２に軸７で接続され、軸７を中心とした回転により開閉され、閉時において、下部を左右、もしくは中央の複数の係合部８によって係止される。室内ユニット本体１は、後面ケース４と前面ケース２と開閉可能な前面パネル３によって構成され、前面ケース２に前面パネルの係止部品１０が前面ケース２に形成された係合用爪９により固定される。前面パネル３は、軸７を中心として回転し、前面ケース２の前面方向に開閉する。前面パネル３は閉時係止部品１０のアーム１０ａの先端を前面パネル３の係合用爪９の先端が乗り越えることにより、アーム１０ａが弾性変形しアーム１０ａが開閉し、結果アーム１０ａに挟み込まれて係止される。
【０００４】
【発明が解決しようとする課題】
従来の空気調和機のパネル開閉装置は、以上のように構成されており、閉時において下部は複数個所にて係止され、上部は軸によって保持されているため、上部において、接続部である軸と端面、もしくは、軸と軸の距離が離れていると、前面パネルの成形時の反りにより、前面ケースと前面パネルの上部合わせ目に、図１２に示すように隙間Ａが発生し、見栄えを悪化させるという問題があった。
【０００５】
また、前面パネルの開閉時には、係止部品のアームが開閉され、そのアームの開閉により発生する応力は、アームに集中して発生していた。
【０００６】
さらに、前面パネルの開閉に、各部品の寸法バラツキ、もしくは諸部品の嵌合によるバラツキ等により、前面パネルの係合用爪と前面ケースに固定された係止部品の位置ズレが発生した場合には、係止部品の中心に係合用爪が挿入されず係止部品のアームに対し偏った負荷がかかり、前面パネル開閉操作時の係止部品の破損等の課題があった。
【０００７】
この発明は以上のような課題を解消するためになされたもので、見栄えの悪化を防止できる吸込グリルの閉時の保持装置を得ることを目的とする。
【０００８】
また、係止部品の応力集中の緩和、前面パネルの係合用爪と前面ケースに固定された係止部品の位置ズレが発生した場合の影響を最小にすることを目的としている。
【０００９】
【課題を解決するための手段】
この発明に係る空気調和機のパネル開閉装置は、室内ユニットの開閉可能な前面パネルの係止部品、この係止部品のアームが広がる方向に隙間を有するように取り付けられるとともに、一方に一対のアームを、他方にはそれぞれ三角型の厚肉部を設け変位の支点とし、それらの中間部の肉厚を薄肉厚で係止部品を形成したものである。
【００１３】
また、この発明に係わる空気調和機のパネル開閉装置は、開閉可能な前面パネルの係合用爪により、係止部品のアームが広がる方向に対し、垂直方向に係止部品を配置したものである。
【００１４】
また、この発明に係わる空気調和機のパネル開閉装置は、係止部品のアームが広がる方向にスライド可能なレールもしくはその垂直方向に矯正リブを配置し、アームが広がる方向に対し垂直方向への隙間を矯正したものである。
【００１６】
【発明の実施の形態】
実施の形態１．
以下、この発明の実施の形態１における空気調和機のパネル開閉装置を図について説明する。図において、１は空気調和機の室内ユニット本体、２はこの室内ユニットの前面ケース、３はこの前面ケースの前面を覆う開閉可能な前面パネル、４は前記室内ユニットの後面ケースで、これら後面ケース４と前面ケース２と開閉可能な前面パネル３によって前記室内ユニット本体を構成している。５ａは前記前面パネル３の軸心を中心とする円に対してクサビ形となるようなストッパＡで、前記前面パネル３の左右端面近辺、もしくは中央の内側に設けている。６は前記前面ケース２に設けた受け部、７は前記前面パネル３の開閉中心となる軸である。
【００１７】
次に実施の形態１の動作について説明する。図３に示すように前面パネル３を閉めると、前面パネル３のストッパＡ５ａは、軸７を中心とした回転軌道上を通り、前面ケース２の受け部６と嵌合する。この時、前面パネル３のストッパＡ５ａが前面ケース２の軸７を中心として回転する軌道に対し、くさび形になっているため、前面パネル３に反りが生じた場合でも前面パネル３は前面ケース２に引き込まれる。
【００１８】
実施の形態２．
図４はこの発明の実施の形態２における空気調和機のパネル開閉装置であり、図において、前面パネル３のストッパＢ５ｂを実施の形態１に比べて円弧方向に向かって長く形成されたおり、前面パネル３が開いている状態の時でも、前面パネル３のストッパＢ５ｂが、前面ケース２の受け部６に嵌合している。
【００１９】
このように、前面パネル３のストッパＢ５ｂが回動方向に向かって長く、前面パネル３があいている状態の時でも、前面パネル３のストッパＢ５ｂが、前面ケース２の受け部６に嵌合している場合、前面パネル３は左右にずれない。
【００２０】
リサイクル対象の電気製品の場合は、製品の輸送中、前面パネルが開いて破損することを防止できる。
【００２１】
実施の形態３．
図５はこの発明の実施の形態３における空気調和機のパネル開閉装置の要部側断面図、図６要部平面断面図であり、図において、３は開閉可能な前面パネル、９はこの前面パネルの下部に設けた係合用爪で、パネルの内側に突出して矢尻状先端部９ａを形成している。１０はこの前面パネルの係合用爪９を係止する一対のアーム１０ａを設けた係止部品で、前記係合用爪９の矢尻状先端部９ａを抱え込むように先端には互いに内側に向けて三角爪片１０ｂを設けたアームと、他端にはこのアームを支える頭部１０ｃとで構成されている。この頭部は、アーム１０ａ側とは反対側の中心部を薄肉部１０ｄとその周囲に三角厚肉部１０ｅとを形成している。１１はこの係止部品を収納する前記前面ケース２の下部に形成した幅Ａを有する係合収納部で、側面壁１１ａの上下幅Ａの中間位置に保持爪１１ｂを突出形成し係止部品１０を上下壁１１ｃとの隙間Ｂを有して保持されている。１２は前記係合収納部１１の両側面壁１１ａ奥側に設けた矯正リブである。
【００２２】
次に、実施の形態３の動作を説明する。前面パネル３を閉める際には、前面パネル３の係合用爪９が係止部品１０のアーム１０ａ間に挿入係合される。挿入する動作においてアーム先端の三角爪片１０ｂに沿って係合用爪９の矢尻状先端９ａが接触しながら挿入され、ほぼ係止部品１０の中心に揃うよう係合用爪９が固定される。
【００２３】
また、挿入する動作においてアーム先端の三角爪片１０ｂに沿って係合用爪９の矢尻状先端９ａが接触しながら挿入される際、係止部品１０のアーム１０ａが押し広げられると同時に、頭部１０ｃの薄肉部１０ｄが弾性変形し、アーム１０ａは上下に開放又は閉塞する動作をする。
【００２４】
また、閉じられた前面パネル３を開放する場合は、係合用爪９と係止部品１０との動作関係は、逆の手順で動作する関係となる。
【００２５】
さらに、前面パネル３の開閉操作時に、各部品の寸法バラツキ、又は部品間の係合によるバラツキ等により、前面パネル３の係合用爪９と係止部品１０の位置ズレが発生した場合でも、係止部品１０の破損を防ぎ、係合用爪９が正しく挿入されるように、隙間Ｂと矯正リブ１２とによって位置ズレを吸収し抑制することができる。
【００２６】
また、前面ケース２と係止部品１０は、別体部品ではあるが、樹脂材料を同一とすることによって、リサイクル時における分別作業を、不要とすることもできる。
【００２７】
実施の形態４．
図７はこの発明の実施の形態４における空気調和機のパネル開閉装置の要部側断面図、図８要部平面断面図であり、図において、１３は係合収納部１１正面壁１１ｄのほぼ中心に縦方向に設けたリブＡ、１４はこのリブＡに嵌合するように前記係止部品１０の頭部１０ａに縦方向に設けた溝である。
【００２８】
このことにより、係止部品１０は係合収納部１１の左右いずれにも偏らずほぼ中心に配置される。
【００２９】
実施の形態５．
図９は実施の形態５を示す空気調和機のパネル開閉装置の一部切欠いて断面を示す側面図であり、前面パネル３が前面ケース２に密着するよう閉めた時、ストッパ５はくさび形状部により前面ケース２の受け部６と嵌合し、同時に係合用爪９はアーム１０ａ先端の三角爪１０ｂに沿って係合用爪９の矢尻状先端９ａが接触しながら挿入配置される。
【００３０】
次に動作を説明する。前面パネル３の開放時並びに閉じた時、ストッパは前面ケース２と嵌合するため、ストッパは前面ケース２と軸７を中心とした前面パネル３の回動方向に対する回動を規制し、前面ケース２に対する前面パネル３の垂直方向のずれを規制する。
【００３１】
また、前面パネル３を閉じた場合、係止部品１０と前面パネル３とは係止部品１０上下方向に位置ずれが発生しても、隙間Ｂにより位置ずれを吸収して、アーム１１ｄにより確実に係合用爪９は保持される。
【００３２】
また、図９は前記実施の形態１、２，３並びに４に示す構成を併用した場合を示しており、前面パネル３の開放時及び閉塞時の、前面パネル３の開放方向の位置決めと、前面パネル３の閉塞時の位置決めとにおいて、前面ケース２との左右のずれ防止と上下のずれ吸収を行うものである。
【００３３】
【発明の効果】
この発明による空気調和機のパネル開閉装置は、室内ユニットの開閉可能な前面パネルの係止部品、この係止部品のアームが広がる方向に隙間を有するように取り付けられるとともに、一方に一対のアームを、他方にはそれぞれ三角型の厚肉部を設け変位の支点とし、それらの中間部の肉厚を薄肉厚で係止部品を形成したので、係止部品の応力集中を緩和することができ、前面パネルの開閉時に、各部品の寸法バラツキ、もしくは諸部品の嵌合によるバラツキ等により、前面パネルの係止用爪と前面ケースに固定された係止部品の位置ズレが発生した場合でも、係止部品への負荷の偏り、または前面パネル開閉操作時の係止力のバラツキを抑制することができる効果を有する。
【００３７】
この発明による空気調和機のパネル開閉装置は、開閉可能な前面パネルの係合用爪により、係止部品のアームを広がる方向に対し、垂直方向に配置した構成としたから、係止部品の取り付け部の隙間により、係止用爪が係止部品を中心に向かって引き込み前面パネル開閉操作時のバラツキを少なくする効果を有する。
【００３８】
また、この発明による空気調和機のパネル開閉装置は、係止部品のアームが広がる方向にスライド可能なレール、もしくはその垂直方向に矯正リブを配置し、アームが広がる方向に対し垂直方向への隙間を矯正した構成としたから、係止部品の上下方向の移動が係止部品の取付け方向性を変化させることなくスムースに行われ、係止部品のアームに対し開閉方向以外の負荷がかかりにくなる効果を有する。
【図面の簡単な説明】
【図１】  この発明の実施の形態１による空気調和機のパネル開閉装置の外観を示す斜視図である。
【図２】  この発明の実施の形態１による空気調和機のパネル開閉装置の要部を示す斜視図である。
【図３】  この発明の実施の形態１による空気調和機のパネル開閉装置の要部を示す拡大断面図である。
【図４】  この発明の実施の形態２による空気調和機のパネル開閉装置の要部を示す拡大断面図である。
【図５】  この発明の実施の形態３による空気調和機のパネル開閉装置の要部を示す拡大側断面図である。
【図６】  この発明の実施の形態３による空気調和機のパネル開閉装置の要部を示す拡大平面断面図である。
【図７】  この発明の実施の形態４による空気調和機のパネル開閉装置の要部を示す拡大側断面図である。
【図８】  この発明の実施の形態４による空気調和機のパネル開閉装置の要部を示す拡大平面断面図である。
【図９】  この発明の実施の形態５による空気調和機のパネル開閉装置を一部切欠いて示す側面図である。
【図１０】  従来の空気調和機のパネル開閉装置の外観を示す斜視図である。
【図１１】  従来の空気調和機のパネル開閉装置を一部切欠いて示す側面図である。
【図１２】  従来の空気調和機のパネル開閉装置を拡大して示す斜視図である。
【図１３】  従来の空気調和機のパネル開閉装置の要部関係を拡大して示す断面図である。
【符号の説明】
１  空気調和機本体、２  前面ケース、３  前面パネル、５ａ  ストッパＡ、５ｂ  ストッパＢ、６  受け部、７  軸、８  係合部、９  係合用爪、１０  係止部品、１０ａ  アーム、１０ｄ  薄肉部、１０ｅ  三角肉厚部、１１ｄ隙間Ｂ、１１ｅ  正面壁、１２  矯正リブ、１３  リブＡ、１４  溝、。
【図１】
0003835038.tif 000002
【図２】
0003835038.tif 000003
【図３】
0003835038.tif 000004
【図４】
0003835038.tif 000005
【図５】
0003835038.tif 000006
【図６】
0003835038.tif 000007
【図７】
0003835038.tif 000008
【図８】
0003835038.tif 000009
【図９】
0003835038.tif 000010
【図１０】
0003835038.tif 000011
【図１１】
0003835038.tif 000012
【図１２】
0003835038.tif 000013
【図１３】
0003835038.tif 000014